Podtech/llm-jp-corpus-v4-ja_patent huggingface dataset:
【手続補正書】
【提出日】平成17年6月27日(2005.6.27)
【手続補正１】
【補正対象書類名】特許請求の範囲
【補正対象項目名】全文
【補正方法】変更
【補正の内容】
【特許請求の範囲】
【請求項１】
悪性細胞又は腫瘍細胞と関連する高カルシウム血症を治療するための医薬組成物であって、低カルシウム性ビタミンＤ化合物を含む上記医薬組成物。
【請求項２】
前記低カルシウム性ビタミンＤ化合物がC24位に炭化水素部分を有する、請求項１に記載の医薬組成物。
【請求項３】
低カルシウム性ビタミンＤが下記式(I)
【化１】
2004535439.tif 000001
（式中、A1及びA2は夫々水素又は炭素-炭素結合であり、こうしてC-22とC-23の間に二重結合を形成し、R1及びR2は同じであり、又は異なり、水素、ヒドロキシル、低級アルキル、低級フルオロアルキル、O-低級アルキル、低級アルケニル、低級フルオロアルケニル、O-低級アルケニル、O-低級アシル、O-芳香族アシル、低級シクロアルキルであり、但し、R1及びR2が両方ともアルケニル基であってはならないことを条件とし、又はそれらが結合されている炭素と一緒にされて、C3-C8環式炭素環を形成し、R3は低級アルキル、低級アルケニル、低級フルオロアルキル、低級フルオロアルケニル、O-低級アルキル、O-低級アルケニル、O-低級アシル、O-芳香族アシル又は低級シクロアルキルであり、X1は水素もしくはヒドロキシルであり、又はR3と一緒にされて、R3がアルケニル基である場合に結合を構成し、かつX2は水素もしくはヒドロキシルであり、又はR1もしくはR2と一緒にされて、二重結合を構成し、かつX3は水素又はヒドロキシルであり、但し、X1、X2及びX3の少なくとも一つがヒドロキシルであることを条件とし、かつＹはＹへの結合が二重結合である場合にはメチレン基であり、又はＹへの結合が単結合である場合にはメチル基もしくは水素である）
により表される化合物である、請求項１または２のいずれか１項に記載の医薬組成物。
【請求項４】
前記低カルシウム性ビタミンＤが下記式(III)
【化２】
2004535439.tif 000002
（式中、A1及びA2は夫々水素又は炭素-炭素結合であり、こうしてC-22とC-23の間に二重結合を形成し、R1及びR2は同じであり、又は異なり、水素、ヒドロキシル、低級アルキル、低級フルオロアルキル、O-低級アルキル、低級アルケニル、低級フルオロアルケニル、O-低級アルケニル、O-低級アシル、O-芳香族アシル、低級シクロアルキルであり、但し、R1及びR2が両方ともアルケニル基であってはならないことを条件とし、又はそれらが結合されている炭素と一緒にされて、C3-C8環式炭素環を形成し、R3は低級アルキル、低級アルケニル、低級フルオロアルキル、低級フルオロアルケニル、O-低級アルキル、O-低級アルケニル、O-低級アシル、O-芳香族アシル又は低級シクロアルキルであり、X1は水素もしくはヒドロキシルであり、又はR3と一緒にされて、R3がアルケニル基である場合に結合を構成し、かつX2は水素もしくはヒドロキシルであり、又はR1もしくはR2と一緒にされて、二重結合を構成する）
により表される1α-ヒドロキシビタミンＤ化合物である、請求項１に記載の医薬組成物。
【請求項５】
前記低カルシウム性ビタミンＤが1α,24-ジヒドロキシビタミンD2、1α,24-ジヒドロキシビタミンD4、1α,25-ジヒドロキシビタミンD2、1α,25-ジヒドロキシビタミンD4、1α-ヒドロキシビタミンD2又は1α-ヒドロキシビタミンD4である、請求項１から４のいずれか１項に記載の医薬組成物。
【請求項６】
胸部、結腸、肺、首及び頭部、膵臓、子宮内膜、膀胱、頸部、睾丸、卵巣の癌、扁平上皮癌、ミエロイド及びリンパ球白血病、リンパ腫、髄様甲状腺癌、メラノーマ、多発性ミエローマ、網膜芽腫又は軟組織及び骨の肉腫と関連する高カルシウム血症を治療するための、請求項１から５のいずれか１項に記載の医薬組成物。
【請求項７】
乳癌、結腸癌、前立腺癌、睾丸癌、膵臓癌、子宮内膜癌、肺の小細胞癌及び非小細胞癌（扁平上皮型、腺癌型及び大細胞型を含む）、頭部及び首の扁平上皮癌、膀胱癌、卵巣癌及び頸癌、ミエロイド及びリンパ球白血病、リンパ腫、肝臓腫瘍、髄様甲状腺癌、多発性ミエローマ、メラノーマ、網膜芽腫又は軟組織及び骨の肉腫と関連する高カルシウム血症を軽減するためにヒトを治療するための、請求項１から５のいずれか１項に記載の医薬組成物。
【請求項８】
低カルシウム性ビタミンＤの投与量が0.01μg/kg/日〜2.0μg/kg/日となるように調整された、請求項１から７のいずれか１項に記載の医薬組成物。
【請求項９】
低カルシウム性ビタミンＤ化合物の投薬養生が毎日の養生又はエピソード養生となるように調整された、請求項１から７のいずれか１項に記載の医薬組成物。
【請求項１０】
前記エピソード養生が２〜７日毎に１回の投薬である、請求項９に記載の医薬組成物。
【請求項１１】
低カルシウム性ビタミンＤ化合物が約10〜100μg/日の用量で毎日投与される、請求項９に記載の医薬組成物。
【請求項１２】
低カルシウム性ビタミンＤ化合物が経口投与、静脈内投与、又は癌部位に位置送出される、請求項１から１１のいずれか１項に記載の医薬組成物。
【請求項１３】
細胞傷害薬と同時投与される、請求項１から１２のいずれか１項に記載の医薬組成物。
【請求項１４】
低カルシウム性ビタミンＤ化合物が細胞傷害薬の投与の0.5日〜７日前に投与される、請求項１３に記載の医薬組成物。
【請求項１５】
低カルシウム性ビタミンＤ化合物が細胞傷害薬の投与の２日〜４日前に投与される、請求項１４に記載の医薬組成物。
【請求項１６】
前記細胞傷害薬が抗代謝産物、抗微小管薬、アルキル化剤、白金薬剤、アントラサイクリン、トポイソメラーゼインヒビター、又は抗生物質である、請求項１３から１５のいずれか１項に記載の医薬組成物。
【請求項１７】
前記細胞傷害薬が：5-フルオロ-ウラシル、メトトレキセート、又はフルダラビンから選択される抗代謝産物；ビンクリスチン、ビンブラスチン、タキサン、パクリタキセル、又はドデタキセルから選択される抗微小管薬；シクロファスファミド、メルファラン、バイオコロエチルニトロソ尿素、又はヒドロキシ尿素から選択されるアルキル化剤；シスプラチン、カルボプラチン、オキサリプラチン、JM-216、又はCI-973から選択される白金薬剤；ドキシルビシン又はダウノルビシンから選択されるアントラサイクリン；ミトマイシン、イダルビシン、アドリアマイシン、又はダウノマイシンから選択される抗生物質；又は、エトポシド又はカンプトテシンから選択されるトポイソメラーゼインヒビターである、請求項１６に記載の医薬組成物。
【請求項１８】
細胞傷害薬がエストラムスチンホスフェート又はプレドニムスチンである、請求項１３に記載の医薬組成物。
【手続補正２】
【補正対象書類名】明細書
【補正対象項目名】０００７
【補正方法】変更
【補正の内容】
【０００７】
【化１】
2004535439.tif 000003
【手続補正書】
【提出日】平成17年6月14日(2005.6.14)
【手続補正１】
【補正対象書類名】明細書
【補正対象項目名】特許請求の範囲
【補正方法】変更
【補正の内容】
【特許請求の範囲】
【請求項１】  患者における癌の治療と併用投与される医薬の製造のための化合物の使用であって、前記治療が化学療法、放射線療法、手術、及びこれらの組み合わせから選択され、前記化合物がガレクチンに結合する、使用。
【請求項２】  前記ガレクチンが、前記患者の組織の細胞表面上に存在する、請求項１に記載の使用。
【請求項３】  前記化合物がガレクチン-1又はガレクチン-3に結合する、請求項１に記載の使用。
【請求項４】  前記化合物が、側鎖を有するポリマ骨格を含み、前記側鎖が末端にガラクトース又はアラビノース単位を有する、請求項１に記載の使用。
【請求項５】  前記化合物が、ラムノース残基を途中に持つ、実質的に脱メトキシル化したポリガラクツロン酸を含む、請求項１に記載の使用。
【請求項６】  前記化合物が、ラムノース残基を途中に持つ部分的に脱メトキシル化したポリガラクツロン酸を含む、請求項１に記載の使用。
【請求項７】  前記化合物が糖質を含む、請求項１に記載の使用。
【請求項８】  前記糖質が分岐糖質を含む、請求項７に記載の使用。
【請求項９】  前記化合物が改変ペクチンを含む、請求項１に記載の使用。
【請求項１０】  前記改変ペクチンが、pH改変ペクチン、酵素改変ペクチン、及び熱改変ペクチンから選択される、請求項９に記載の使用。
【請求項１１】  前記改変ペクチンが改変シトラス・ペクチンを含む、請求項９に記載の使用。
【請求項１２】  前記改変ペクチンが1乃至50キロダルトンの範囲の分子量を有する、請求項９に記載の使用。
【請求項１３】  前記改変ペクチンが1乃至15キロダルトンの範囲の分子量を有する、請求項９に記載の使用。
【請求項１４】  前記改変ペクチンが約10キロダルトンの分子量を有する、請求項９に記載の使用。
【請求項１５】  前記医薬が前記患者への注射に適する、請求項１に記載の使用。
【請求項１６】  前記医薬が前記患者への経口投与に適する、請求項１に記載の使用。
【請求項１７】  前記医薬が、前記治療を前記患者に施術する前の投与に適する、請求項１に記載の使用。
【請求項１８】  前記医薬が、前記治療を前記患者に施術した後の投与に適する、請求項１に記載の使用。
【請求項１９】  前記医薬が前記治療との同時投与に適する、請求項１に記載の使用。
【手続補正書】
【提出日】平成17年5月20日(2005.5.20)
【手続補正１】
【補正対象書類名】明細書
【補正対象項目名】００８６
【補正方法】変更
【補正の内容】
【００８６】
３）（＋/−）−cis, trans−2−ベンゾイルオキシメチル−4−（N−アセチルシトシン−1'−イル）−1,3−オキサチオラン
【化２６】
2004535428.tif 000001
化合物（3）をCH2Cl2（20mL/g）に溶解して、−15℃に冷却した。内部温度を−5℃以下に保ちながらアミン（1当量〜2当量の間）を加え、続いてTMSI（2当量〜5当量の間）を加え、そして化合物（3）が消失するまで−5℃〜−10℃で撹拌した。CuCl（20％）およびピリミジン化合物（1.1当量）を加えた。反応混合物を加温して、反応が完了したことをTLCが示すまで5℃〜10℃の間で保った。反応混合物を5％NH4OHに注ぎ、固体の沈殿が検出されなくなるまで10分間撹拌した。有機層を分離し、水層をCH2Cl2で抽出した。有機層を、水、2％HCl、希Na2S2O3で洗浄した。洗浄された有機層を蒸発させて、生成物の化合物（4）を得た。この工程に対する結果が表２に示される。
【手続補正２】
【補正対象書類名】明細書
【補正対象項目名】００８９
【補正方法】変更
【補正の内容】
【００８９】
５）（−）または（＋）の2−ベンゾイルオキシメチル−1,3−オキサチオラン−S−オキシドを使用する2−ベンゾイルオキシメチル−4−（N−アセチルシトシン−1'−イル）−1,3−オキサチオランの合成
【化２８】
2004535428.tif 000002
エナンチオマー的に純粋な化合物（3a）をCH2Cl2（10mL/g）に溶解して、反応温度に冷却した。内部温度を−5℃以下に保ちながらアミンを加え、続いてTMSIを加え、そして化合物（3a）が消失するまで−5℃〜−40℃で撹拌した。CuCl（20％）およびピリミジン化合物（1.1当量）を加えた。反応混合物を加温し、そして反応が完了したことがTLCにより示されるまで−40℃〜30℃の間で保った。反応物を0℃〜5℃に冷却した。セライト（12ｇ、100％w/w）を懸濁液に加え、撹拌した。濃水酸化アンモニウムをゆっくり加え、懸濁液の温度を0℃〜10℃の間で保った。0℃〜5℃で撹拌した。懸濁液をろ過し、ケークをジクロロメタンに再懸濁した。撹拌し、その後、ろ過した。相を分離し、水相をジクロロメタンで抽出した。有機層を一緒にして、2％の水酸化アンモニウム溶液、水、2％の塩酸溶液、2％のメタ重亜硫酸ナトリウム溶液、そして飽和重炭酸ナトリウム溶液で洗浄した。有機相を硫酸マグネシウムで乾燥し、ろ過し、その後、真空下で容積を減らして、粗製の塩基結合物質をベージュ色の固体として得た。固体をEtOAcに溶解して、結晶化させた。懸濁液を0℃〜5℃で撹拌し、その後、ろ過した。固体を真空下で乾燥して、純粋な塩基結合生成物を薄いベージュ色の固体として得た。この工程に対する結果が表４および表５に示される。
【手続補正書】
【提出日】平成17年6月27日(2005.6.27)
【手続補正１】
【補正対象書類名】特許請求の範囲
【補正対象項目名】全文
【補正方法】変更
【補正の内容】
【特許請求の範囲】
【請求項１】
1α,24(S)-ジヒドロキシビタミンD2を含有することを特徴とする悪性細胞又は腫瘍細胞の異常増殖の抑制用医薬組成物であって、前記細胞が肺、首及び頭部、膵臓、子宮内膜、膀胱、頸部、卵巣の癌、扁平上皮癌、ミエロイド及びリンパ球白血病、リンパ腫、髄様甲状腺癌、メラノーマ、多発性ミエローマ、網膜芽腫又は軟組織及び骨の肉腫である、前記医薬組成物。
【請求項２】
1α,24(S)-ジヒドロキシビタミンD2を含有することを特徴とする悪性細胞又は腫瘍細胞の異常増殖活性の抑制用医薬組成物であって、前記細胞が肺、首及び頭部、膵臓、子宮内膜、膀胱、頸部、卵巣の癌、扁平上皮癌、ミエロイド及びリンパ球白血病、リンパ腫、髄様甲状腺癌、メラノーマ、多発性ミエローマ、網膜芽腫又は軟組織及び骨の肉腫である、前記医薬組成物。
【請求項３】
1α,24(S)-ジヒドロキシビタミンD2を毎日の投薬養生又はエピソード投薬養生で投与する形態にある、請求項２記載の医薬組成物。
【請求項４】
エピソード養生が２〜７日毎に１回の投薬である、請求項３記載の医薬組成物。
【請求項５】
1α,24(S)-ジヒドロキシビタミンD2を約10〜100μg/日の用量で毎日投与する形態にある、請求項３記載の医薬組成物。
【請求項６】
1α,24(S)-ジヒドロキシビタミンD2を経口投与し、静脈内投与し、癌部位に直接注射し、又は癌部位に位置送出する形態にある、請求項２記載の医薬組成物。
【請求項７】
1α,24(S)-ジヒドロキシビタミンD2を経口投与する形態にある、請求項６記載の医薬組成物。
【請求項８】
1α,24(S)-ジヒドロキシビタミンD2を細胞傷害薬と同時投与する形態にある、請求項２記載の医薬組成物。
【請求項９】
細胞傷害薬が抗代謝薬、及び抗微小管薬、アルキル化剤、白金薬剤、アントラサイクリン、トポイソメラーゼインヒビター、又は抗生物質である、請求項８記載の医薬組成物。
【請求項１０】
抗代謝薬が5-フルオロ-ウラシル、メトトレキセート又はフルダラビンである、請求項９記載の医薬組成物。
【請求項１１】
抗微小管薬がビンクリスチン、ビンブラスチン又はタキサンである、請求項９記載の医薬組成物。
【請求項１２】
タキサンがパクリタキセル又はドセタキセルである、請求項１１記載の医薬組成物。
【請求項１３】
アルキル化剤がシクロファスファミド、メルファラン、バイオコロエチルニトロソ尿素又はヒドロキシ尿素である、請求項９記載の医薬組成物。
【請求項１４】
白金薬剤がシスプラチン、カルボプラチン、オキサリプラチン、JM-216又はCI-973である、請求項９記載の医薬組成物。
【請求項１５】
アントラサイクリンがドクスルビシン又はダウノルビシンである、請求項９記載の医薬組成物。
【請求項１６】
抗生物質がミトマイシン、イダルビシン、アドリアマイシン又はダウノマイシンである、請求項９記載の医薬組成物。
【請求項１７】
トポイソメラーゼインヒビターがエトポシド又はカンプトセシンである、請求項９記載の医薬組成物。
【請求項１８】
細胞傷害薬がエストラムスチンホスフェート又はプレドニムスチンである、請求項９記載の医薬組成物。
【請求項１９】
細胞傷害薬の抗増殖有効量が単独で投与される場合の細胞傷害薬の抗増殖有効量より低い、請求項８記載の医薬組成物。
【請求項２０】
1α,24(S)-ジヒドロキシビタミンD2を含有することを特徴とする、膵臓癌、子宮内膜癌、肺の小細胞癌及び非小細胞癌（扁平細胞型、腺癌型及び大細胞型を含む）、頭部及び首の扁平細胞癌、膀胱癌、卵巣癌及び頸癌、ミエロイド及びリンパ球白血病、リンパ腫、肝臓腫瘍、髄様甲状腺癌、多発性ミエローマ、メラノーマ、網膜芽腫又は軟組織及び骨の肉腫の病的作用を軽減するため医薬組成物。
【請求項２１】
1α,24(S)-ジヒドロキシビタミンD2を含有することを特徴とする細胞傷害薬の抗増殖効果増進剤。
【請求項２２】
1α,24(S)-ジヒドロキシビタミンD2を細胞傷害薬の投与の0.5〜７日前に投与する形態にある、請求項２１記載の抗増殖効果増進剤。
【請求項２３】
1α,24(S)-ジヒドロキシビタミンD2を細胞傷害薬の投与の２〜４日前に投与する形態にある、請求項２２記載の抗増殖効果増進剤。
【請求項２４】
1α,24(S)-ジヒドロキシビタミンD2を含有することを特徴とする、悪性細胞又は腫瘍細胞の分化を誘発剤。
【請求項２５】
1α,24(S)-ジヒドロキシビタミンD2を含有することを特徴とする、ビタミンＤ受容体を発現する腫瘍を有する被験者の治療用医薬組成物。
【手続補正書】
【提出日】平成18年6月27日(2006.6.27)
【手続補正１】
【補正対象書類名】特許請求の範囲
【補正対象項目名】全文
【補正方法】変更
【補正の内容】
【特許請求の範囲】
【請求項１】
【化１】
2004535445.tif 000001
上記の式で表される化合物又はその塩、溶媒和物、もしくは薬学的に機能する誘導体。
【請求項２】
(2S,4S)-1-[(2S)-2-アミノ-3,3-ビス(4-フルオロフェニル)プロパノイル]-4-フルオロピロリジン-2-カルボニトリル 塩酸塩。
【請求項３】
請求項１に記載の化合物を含む、医薬製剤。
【請求項４】
さらに薬学的に許容される担体を含む、請求項３に記載の医薬製剤。
【請求項５】
ポスト-プロリン/アラニン開裂プロテアーゼの阻害のための医薬の製造における請求項１に記載の化合物の使用。
【請求項６】
該ポスト-プロリン/アラニン開裂プロテアーゼがセリンプロテアーゼである請求項５に記載の使用。
【請求項７】
該セリンプロテアーゼがジペプチジルペプチダーゼである請求項６に記載の使用。
【請求項８】
該ジペプチジルペプチダーゼがDPP-IIである請求項７に記載の使用。
【請求項９】
該ジペプチジルペプチダーゼがDPP-IVである請求項７に記載の使用。
【請求項１０】
代謝性疾患、胃腸疾患、ウイルス性疾患、炎症性疾患、糖尿病、肥満、高脂血症、皮膚若しくは粘膜疾患、乾癬、腸疾患、便秘、自己免疫疾患、脳脊髄炎、補体介在性疾患、糸球体腎炎、脂肪異栄養症、組織損傷、心身性の、抑鬱性の、及び神経精神医学的疾患、HIV感染、アレルギー、炎症、関節炎、移植拒絶、高血圧、うっ血性心不全、腫瘍、及びストレス誘発性発育不全の治療又は予防のための医薬の製造における請求項１に記載の化合物の使用。
【請求項１１】
糖尿病の治療又は予防のための、請求項１０に記載の使用。
【請求項１２】
請求項１に記載の化合物および1種以上の追加の抗糖尿病薬を含んでなる、医薬製剤。
【請求項１３】
該抗糖尿病薬が、インスリン、α-グルコシダーゼ阻害剤、ビグアナイド、インスリン分泌促進物質、インスリン感作物質、またはその組み合わから選択される、請求項１２に記載の医薬製剤。
【請求項１４】
該抗糖尿病薬が、インスリンメトホルミン、PPAR-γアゴニスト、またはその組み合わせから選択される、請求項１３に記載の医薬製剤。
【請求項１５】
請求項１に記載の化合物およびメトホルミンを含んでなる、医薬製剤。
【請求項１６】
請求項１に記載の化合物およびAvandia(商標)を含んでなる、医薬製剤。
【請求項１７】
請求項１に記載の化合物、メトホルミン、およびAvandia(商標)を含んでなる、医薬製剤。
【手続補正書】
【提出日】平成17年6月3日(2005.6.3)
【手続補正１】
【補正対象書類名】特許請求の範囲
【補正対象項目名】全文
【補正方法】変更
【補正の内容】
【特許請求の範囲】
【請求項１】
オピオイド誘導性免疫抑制を処置するための薬学的組成物であって、該組成物は、ヒト患者において、オピオイド誘導性免疫抑制を処置するに有効な量の末梢性オピオイドアンタゴニストを含有する、薬学的組成物。
【請求項２】
請求項１に記載の薬学的組成物であって、前記末梢性オピオイドアンタゴニストは、μオピオイドアゴニストである、薬学的組成物。
【請求項３】
請求項１に記載の薬学的組成物であって、前記末梢性オピオイドアンタゴニストは、ノルオキシモルホンの４級誘導体である、薬学的組成物。
【請求項４】
請求項１に記載の薬学的組成物であって、前記末梢性オピオイドアンタゴニストは、メチルナルトレキソンである、薬学的組成物。
【請求項５】
請求項１に記載の薬学的組成物であって、オピオイドをさらに含有する、薬学的組成物。
【請求項６】
請求項１に記載の薬学的組成物であって、該組成物が、ＡＩＤＳを罹患する患者のオピオイド誘導性免疫抑制を処置するための組成物である、薬学的組成物。
【請求項７】
請求項１に記載の薬学的組成物であって、該組成物が、ＨＩＶを罹患する患者のオピオイド誘導性免疫抑制を処置するための組成物である、薬学的組成物。
【請求項８】
請求項７に記載の薬学的組成物であって、前記有効量が、患者のウイルス負荷におけるオピオイド誘導性増加を阻害するに有効な量、患者のＣＣＲ５レベルのオピオイド誘導性増加を阻害するに有効な量、患者のＣＤ４陽性Ｔ細胞の患者の量におけるオピオイド誘導性減少を阻害するに有効な量、または患者のＣＣＲ５陽性細胞のマクロファージ向性ＨＩＶ−１による感染を阻害するに有効な量である、薬学的組成物。
【請求項９】
請求項１に記載の薬学的組成物であって、該薬学的組成物が、腸溶性錠剤または腸溶性カプセル剤である、薬学的組成物。
【請求項１０】
請求項１に記載の薬学的組成物であって、該薬学的組成物が、経口投与または非経口投与のための組成物である、薬学的組成物。
【請求項１１】
請求項４に記載の薬学的組成物であって、前記患者のメチルナルトレキソンの血漿レベルが、１００ｎｇ／ｍｌを超えない、薬学的組成物。
【請求項１２】
請求項４に記載の薬学的組成物であって、該組成物が、０．００１〜０．５ｍｇ／ｋｇ患者体重の範囲の皮下投薬量、１〜８０ｍｇ／ｋｇ患者体重の範囲の経口投薬量、または０．０５〜０．５ｍｇ／ｋｇ患者体重の範囲の静脈内投薬量である、薬学的組成物。
【請求項１３】
ヒト患者におけるオピオイド誘導性免疫抑制の処置のための医薬の製造のための、末梢性オピオイドアンタゴニストの使用。
【請求項１４】
請求項１３に記載の使用であって、前記末梢性オピオイドアンタゴニストが、μオピオイドアゴニストである、使用。
【請求項１５】
請求項１３に記載の使用であって、前記末梢性オピオイドアンタゴニストが、ノルオキシモルホンの４級誘導体である、使用。
【請求項１６】
請求項１３に記載の使用であって、前記末梢性オピオイドアンタゴニストが、メチルナルトレキソンである、使用。
【請求項１７】
請求項１３に記載の使用であって、前記医薬が、ＡＩＤＳを罹患するヒトのオピオイド誘導性免疫抑制を処置するための医薬である、使用。
【請求項１８】
請求項１３に記載の使用であって、前記医薬が、ＨＩＶを罹患するヒトのオピオイド誘導性免疫抑制を処置するための医薬である、使用。
【請求項１９】
請求項１８に記載の使用であって、前記医薬が、患者のウイルス負荷におけるオピオイド誘導性増加を阻害するに有効な量、患者のＣＣＲ５レベルのオピオイド誘導性増加を阻害するに有効な量、患者のＣＤ４陽性Ｔ細胞の患者の量におけるオピオイド誘導性減少を阻害するに有効な量、または患者のＣＣＲ５陽性細胞のマクロファージ向性ＨＩＶ−１による感染を阻害するに有効な量で存在する、使用。
【請求項２０】
請求項１３に記載の使用であって、前記医薬が、腸溶性錠剤または腸溶性カプセル剤として製造される、使用。
【請求項２１】
請求項１３に記載の使用であって、前記医薬が、経口投与または非経口投与のために製造される、使用。
【請求項２２】
請求項１３に記載の使用であって、前記医薬が、前記患者のメチルナルトレキソンの血漿レベルが、１００ｎｇ／ｍｌを超えない投薬量で製造される、使用。
【請求項２３】
請求項１３に記載の使用であって、前記医薬が、皮下投与のための０．００１〜０．５ｍｇ／ｋｇ患者体重の範囲の投薬量、経口投与のための１〜８０ｍｇ／ｋｇ患者体重の範囲の投薬量、または静脈内投与のための０．０５〜０．５ｍｇ／ｋｇ患者体重の範囲の投薬量で製造される、使用。
【手続補正書】
【提出日】平成17年5月27日(2005.5.27)
【手続補正１】
【補正対象書類名】特許請求の範囲
【補正対象項目名】全文
【補正方法】変更
【補正の内容】
【特許請求の範囲】
【請求項１】
哺乳類において細胞内および細胞外のアデノシン三リン酸（ＡＴＰ）濃度に作用する組成物であって、顆粒、微小顆粒および粉末からなる群から選択される形状を有する有効量のＡＴＰを含んでなり、前記形状のＡＴＰには最終的な剤形とする前に胃酸分泌阻害コーティングが施されていることを特徴とする組成物。
【請求項２】
前記組成物は経口による送達に適した形状である、請求項１に記載の組成物。
【請求項３】
前記胃酸分泌阻害コーティングはメタクリル酸コポリマーを含有する、請求項１または２に記載の組成物。
【請求項４】
前記阻害コーティングは１〜２０重量パーセントの範囲で含まれる、請求項１〜３のいずれか１項に記載の組成物。
【請求項５】
前記阻害コーティングは１０重量パーセント含まれる、請求項１〜４のいずれか１項に記載の組成物。
【請求項６】
哺乳類において細胞内および細胞外のアデノシン三リン酸（ＡＴＰ）濃度に作用する組成物であって、顆粒、微小顆粒および粉末からなる群から選択される形状を有する治療上有効量のＡＴＰを含んでなり、前記形状のＡＴＰには、最終的な剤形とする前に前記量のＡＴＰに１〜２０重量パーセントの範囲の胃酸分泌阻害コーティングが施されていることを特徴とする組成物。
【請求項７】
前記胃酸分泌阻害コーティングはメタクリル酸コポリマーを含む、請求項６に記載の組成物。
【請求項８】
前記組成物は経口による送達に適した形状である、請求項６または７に記載の組成物。
【請求項９】
前記阻害コーティングは１０重量パーセント含まれる、請求項６〜８のいずれか１項に記載の組成物。
【請求項１０】
哺乳類を治療するための組成物を製造する方法であって、
顆粒、微小顆粒および粉末からなる群から選択される形状を含む有効量のＡＴＰを提供することと、
最終的な剤形とする前に前記形状のＡＴＰに胃酸分泌阻害コーティングを施すことと
からなる方法。
【請求項１１】
前記阻害コーティングは１〜２０重量パーセントの範囲で含まれる、請求項１０に記載の方法。
【請求項１２】
前記胃酸分泌阻害コーティングはメタクリル酸コポリマーを含有する、請求項１０または１１に記載の方法。
【請求項１３】
前記阻害コーティングは１０重量パーセント含まれる、請求項１０〜１３のいずれか１項に記載の方法。
【請求項１４】
前記組成物は経口による送達に適した形状である、請求項１０〜１４のいずれか１項に記載の方法。
【手続補正書】
【提出日】平成17年5月30日(2005.5.30)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2004535412.tif 000001
式中、Ｒ１およびＲ２はそれぞれ独立して水素またはメチルであり、または
Ｒ１およびＲ２は、ともにＣＨ２であってもよく、および
ｎは、整数１、２または３であり、ただし、ｎ＋（Ｒ１およびＲ２中の炭素原子数）は、５未満である、
で表される化合物。
【請求項２】
請求項１に記載の化合物を少なくとも１つ含む、芳香剤組成物。
【手続補正２】
【補正対象書類名】明細書
【補正対象項目名】００２３
【補正方法】変更
【補正の内容】
【００２３】
本発明を以下の例により説明する。ＮＭＲデータは、ＴＭＳをスタンダードとして得られた。
例１
2-[1'-(3'',3''-ジメチルシクロヘキシルl)エトキシ]-2-メチルプロパン-1-オール (化合物Ａ)
窒素雰囲気下0℃で、トルエン中に１．８Ｍエチルアルミニウムジクロライドを含む溶液178ml(321 mmol)を500 mlシクロヘキサン中に1-(3',3'-ジメチルシクロヘキシル)エタノール 100 g (641 mmol)およびイソブチレンオキサイド55.4 g (769 mmol)を含む攪拌溶液にゆっくり添加した。完全に添加した後、冷却浴を除去し、反応混合物を室温まで温め、この温度で15時間攪拌を続けた。反応混合物は、濃リン酸で酸性化した塩水１ｌ中に添加し、エーテルで３回抽出した。混合有機抽出物を塩水および水で洗浄し、硫酸ナトリウムで乾燥し、ロータリーエバポレーターで濃縮した。粗生成物(136 g)を78-85℃ / 0.3 mbarで蒸留することにより、純粋な2-[1'-(3'',3''-ジメチルシクロヘキシル)-エトキシ]-2-メチルプロパン-1-オール55.1 g (38%)が得られ、出発材料60.4 gが回収された。
【手続補正３】
【補正対象書類名】明細書
【補正対象項目名】００３９
【補正方法】変更
【補正の内容】
【００３９】
【表１０】
2004535412.tif 000002
【表１１】
2004535412.tif 000003
【手続補正書】
【提出日】平成17年6月27日(2005.6.27)
【手続補正１】
【補正対象書類名】特許請求の範囲
【補正対象項目名】全文
【補正方法】変更
【補正の内容】
【特許請求の範囲】
【請求項１】
式(Ｉ)：
【化１】
2004535466.tif 000001
[式中、
Ｒ１は、(Ｃ１−Ｃ４)−アルキル、(Ｃ１−Ｃ４)−アルコキシ、モノ−もしくはジ−(Ｃ１−Ｃ４)−アルキルアミノを表し；そして
Ｒ２は、ピリジルまたはチアゾリルを表し、これらはハロゲン、アミノ、または(Ｃ１−Ｃ４)−アルキルによって置換され得る]の化合物、およびそれらの塩、水和物、その塩の水和物、および溶媒和物。
【請求項２】
請求項１に記載の式(Ｉ)：
[式中、Ｒ１は、メチル、エチル、ｎ−プロピル、イソプロピル、ｎ−ブチル、ｓｅｃ−ブチル、イソブチル、またはｔｅｒｔ−ブチルを表し；そして
Ｒ２は、２−ピリジル、チアゾール−４−イル、またはチアゾール−５−イルを表し、これらは塩素、アミノ、またはメチルによって置換され得る]の化合物、およびそれらの塩、水和物、その塩の水和物、および溶媒和物。
【請求項３】
下記の構造：
【化２】
2004535466.tif 000002
を有する、請求項１または２に記載の化合物、およびその塩、水和物、その塩の水和物、および溶媒和物。
【請求項４】
請求項１に定義した通りの式(Ｉ)の化合物を製造する方法であって、式(II)：
【化３】
2004535466.tif 000003
[式中、Ｒ１は請求項１に記載の意味を有する]の化合物を、式(III)：
【化４】
2004535466.tif 000004
[式中、Ｒ２は請求項１に記載の意味を有し；そして
Ｘは、適切な脱離基を表す]の化合物と反応させることを特徴とする方法。
【請求項５】
疾患の予防および／または処置のための、請求項１で定義した通りの式(Ｉ)の化合物。
【請求項６】
少なくとも１つの請求項１で定義した通りの式(Ｉ)の化合物と、さらに少なくとも１つの補助剤（auxiliary substance）を含む医薬。
【請求項７】
少なくとも１つの請求項１で定義した通りの式(Ｉ)の化合物と、少なくとも１つのさらなる活性な化合物を含む医薬。
【請求項８】
心血管性疾患の予防および／または処置のための医薬を製造するための、請求項１で定義した通りの式(Ｉ)の化合物の使用。
【請求項９】
泌尿生殖器領域の疾患および癌の予防および／または処置のための医薬を製造するための、請求項１で定義した通りの式(Ｉ)の化合物の使用。
【請求項１０】
炎症性疾患、神経炎症性疾患、神経変性疾患、および痛みの予防および／または処置のための医薬を製造するための、請求項１で定義した通りの式(Ｉ)の化合物の使用。
【請求項１１】
気道の疾患、肝臓線維症、肝硬変、および糖尿病の予防および／または処置のための医薬を製造するための、請求項１で定義した通りの式(Ｉ)の化合物の使用。
【手続補正書】
【提出日】平成17年6月3日(2005.6.3)
【手続補正１】
【補正対象書類名】特許請求の範囲
【補正対象項目名】全文
【補正方法】変更
【補正の内容】
【特許請求の範囲】
【請求項１】
高レベルで大規模なタンパク質および／またはポリペプチドの発現を達成するための組成物であって、該組成物は、以下：
（ａ）培養液中で連続的に増殖し得る不死化された宿主細胞株であって、ここで、該宿主細胞株は、無血清懸濁培養液中で増殖し得る宿主細胞株、および
（ｂ）組換えタンパク質および／またはポリペプチドの持続した過剰発現のためのベクター、
を含み、該宿主細胞株は、該ベクターでトランスフェクトされており、該ベクターは、ＵＣＯＥエレメントを含むことで特徴付けられる、組成物。
【請求項２】
前記組換えタンパク質および／またはポリペプチドは、１以上のサブユニットを含む、請求項１に記載の組成物。
【請求項３】
前記組換えタンパク質および／またはポリペプチドは、抗体またはそのフラグメントである、請求項２に記載の組成物。
【請求項４】
前記宿主細胞株が、前記組換えタンパク質および／またはポリペプチドのｇａｌ−ｇａｌグリコシル化の非存在によって特徴付けられる、請求項１〜３のいずれか１項に記載の組成物。
【請求項５】
前記宿主細胞株が、ＣＨＯ−Ｓ、２９３−Ｆ、２９３−Ｈ、ＣＯＳ−７Ｌ、Ｄ．Ｍｅｌ−２、Ｓｆ２１、およびＳｆ９からなる群から選択される、請求項１〜４のいずれか１項に記載の組成物。
【請求項６】
前記組成物が、培養液１リットルあたり少なくとも５０ｍｇの組換えタンパク質および／またはポリペプチドのレベルの発現を達成し得ることを特徴とする、請求項１〜５のいずれか１項に記載の組成物。
【請求項７】
前記組成物が、培養液１リットルあたり少なくとも１００ｍｇの組換えタンパク質および／またはポリペプチドのレベルの発現を達成し得ることを特徴とする、請求項６に記載の組成物。
【請求項８】
前記組成物が、培養液１リットルあたり少なくとも２００ｍｇの組換えタンパク質および／またはポリペプチドのレベルの発現を達成し得ることを特徴とする、請求項７に記載の組成物。
【請求項９】
請求項１〜８のいずれか１項に記載の組成物であって、該ベクターは、多サブユニットタンパク質および／またはポリペプチドの高レベルな大規模発現のための二方向ベクターであって、該ベクターは、以下：
（ａ）少なくとも１つのＵＣＯＥエレメント；
（ｂ）ヒトＣＭＶプロモーター、マウスＣＭＶプロモーターおよびヒトβ−アクチンプロモーターからなる群から選択される第１の転写プロモーター；および
（ｃ）第２の転写プロモーター；
を含み、ここで、該ＵＣＯＥエレメントは、該第１の転写プロモーターおよび該第２の転写プロモーターに作動可能に連結され、ここで、該第１の転写プロモーターは、該第２の転写プロモーターの反対方向に配向される、
組成物。
【請求項１０】
タンパク質および／またはポリペプチドの、高レベルな大規模生成のための方法であって、該方法は、以下の工程：
（ａ）懸濁液中で増殖し得る不死化宿主細胞株を得る工程；
（ｂ）該不死化宿主細胞株を無血清培地中での増殖に適合させる工程；
（ｃ）組換えタンパク質および／またはポリペプチドの高レベルの発現に適したベクターを用いて、該無血清培地での増殖に適合した不死化細胞株をトランスフェクトする工程であって、該ベクターは、１つ以上のＵＣＯＥを含むことで特徴付けられる、工程、
を包含する、方法。
【請求項１１】
前記宿主細胞株が、前記組換えタンパク質および／またはポリペプチドのｇａｌ−ｇａｌグリコシル化の非存在によって特徴付けられる、請求項１０に記載の方法。
【請求項１２】
前記宿主細胞株が、ＣＨＯ−Ｓ、２９３−Ｆ、２９３−Ｈ、ＣＯＳ−７Ｌ、Ｄ．Ｍｅｌ−２、Ｓｆ２１、およびＳｆ９からなる群から選択される、請求項１０または１１に記載の方法。
【請求項１３】
前記方法が、培養液１リットルあたり少なくとも５０ｍｇの組換えタンパク質および／またはポリペプチドのレベルの発現を達成し得ることを特徴とする、請求項１２に記載の方法。
【請求項１４】
前記方法が、培養液１リットルあたり少なくとも１００ｍｇの組換えタンパク質および／またはポリペプチドのレベルの発現を達成し得ることを特徴とする、請求項１３に記載の方法。
【請求項１５】
前記方法が、培養液１リットルあたり少なくとも２００ｍｇの組換えタンパク質および／またはポリペプチドのレベルの発現を達成し得ることを特徴とする、請求項１４に記載の方法。
【手続補正書】
【提出日】平成17年8月11日(2005.8.11)
【手続補正１】
【補正対象書類名】特許請求の範囲
【補正対象項目名】請求項１２
【補正方法】変更
【補正の内容】
【請求項１２】
請求項１１に記載の方法において、
前記無線通信装置が以前に前記データフレームの再送信を要求したか否かを判定するステップは、
前記データフレームに対応する無線通信装置識別子を受信し、
前記無線通信装置識別子が電子メモリに格納されたか否かを判定し、
前記データフレーム識別子が、前記無線通信装置識別子に関連して前記電子メモリに格納されたか否かを判定し、
前記無線通信装置識別子が、前記電子メモリに格納され、前記データフレーム識別子が、前記無線通信デバイス識別子に関連して前記電子メモリに格納されているのであれば、前記無線通信装置が以前に前記データフレームの再送信を要求したか否かを判定する
各ステップからなる方法。
【手続補正２】
【補正対象書類名】明細書
【補正対象項目名】００３５
【補正方法】変更
【補正の内容】
【００３５】
前に記載された好適な実施例によって、いかなる当業者であっても、本発明の理解又は利用を可能にする。これらの実施例への様々な変形例もまた、当業者に対しては明らかであって、ここで定義された一般的な原理は、発明的な能力を用いなくとも他の実施例にも適用されうる。このように、本発明は、上記で示された実施例に制限されるものではなく、ここで記載された原理と新規の特徴に一致した広い範囲に相当するものを意図している。
【手続補正書】
【提出日】平成17年6月9日(2005.6.9)
【手続補正１】
【補正対象書類名】特許請求の範囲
【補正対象項目名】全文
【補正方法】変更
【補正の内容】
【特許請求の範囲】
【請求項１】
ゲート口およびロボット・アームを有した半導体ウエハ加工チェンバの稼働中の内部を検査する内蔵型センサ装置であって、ゲート口よりチェンバ内に挿入可能に形成され、かつ、主面に貫通した窓を有したハウジングと、窓と一直線上に配置され、チェンバ内部の映像を感知するためハウジング内に設けられたセンサ手段と、感知された映像信号を受信して送信するため前記ハウジング内でセンサに接続された送信機とを有することを特徴とした内蔵型センサ装置。
【請求項２】
ハウジングは、第１の主面と第２の主面と第１の所定の厚みとを有した総体的に扁平な基板と、基板の前記第２の主面に突設され、頂面と側面と適宜の第２の厚みとを有した第１のリブと、第１の主面と第２の主面と第３の所定の厚みとを有し、かつ、前記第１のリブの大きさと少なくとも等しい寸法を有した総体的に扁平なカバーとからなり、同カバーの第２面は第１のリブの頂面に接して基板とともにコンパートメントを形成し、前記第１、第２、第３の厚みは合体されてハウジングの最大厚みとなることを特徴とした請求項１に記載の内蔵型センサ装置。
【請求項３】
基板は、総体的に円形で、軸を有しており、前記第１のリブは全体的に環状で軸と外周とを有し、かつ基板と同軸であり、前記カバーは、総体的に円形で、軸を有するとともに基板と同軸であることを特徴とした請求項２に記載の内蔵型センサ装置。
【請求項４】
センサ手段がビデオ・カメラである請求項１に記載の内蔵型センサ装置。
【請求項５】
ビデオ・カメラが窓近傍に設置されたCMOSセンサである請求項４に記載の内蔵型センサ装置。
【請求項６】
ビデオ・カメラが、CMOSセンサと窓の間に設置された、所定の焦点距離をもったレンズを有した請求項５に記載の内蔵型センサ装置。
【請求項７】
ハウジングは、窓に近い箇所の主面を貫通した開口部を有するとともに、ビデオ・カメラは、前記開口部と直線上に配置された発光ダイオードを有し、これによりCMOSセンサの視察領域を照射することを特徴とした請求項５に記載の内蔵型センサ装置。
【請求項８】
送信機がFM型である請求項１に記載の内蔵型センサ装置。
【請求項９】
ウエハ加工チェンバの外部に設けられ、送信機からの信号を受信するための受信機と、同受信機に接続され、感知された映像を表示する監視装置とを有することを特徴とした請求項１に記載の内蔵型センサ装置。
【請求項１０】
充電型バッテリを含む動力源を有した請求項１に記載の内蔵型センサ装置。
【請求項１１】
バッテリがリチウムイオン型である請求項１０に記載の内蔵型センサ装置。
【請求項１２】
ハウジング外部から操作可能な充電ジャックを有してバッテリの充電を行うことのできる請求項１１に記載の内蔵型センサ装置。
【請求項１３】
オンオフ・スイッチを有してバッテリからの動力をハウジング内部の各エレメントに送電することを特徴とした請求項１０に記載の内蔵型センサ装置。
【請求項１４】
オンオフ・スイッチは、ハウジング外部から操作可能な磁気作動型リード・スイッチである請求項１３に記載の内蔵型センサ装置。
【手続補正書】
【提出日】平成17年6月9日(2005.6.9)
【手続補正１】
【補正対象書類名】明細書
【補正対象項目名】００１２
【補正方法】変更
【補正の内容】
【００１２】
本発明によるこのおよび他の目的、特徴、および利点は、入力電圧源、切替え回路、および入力電圧源と出力段階とを結合する変圧器を備える切替え調整器によって提供される。切替え回路は、少なくとも２つの制御可能電力スイッチと、第１整流器スイッチおよび第２整流器スイッチとを備え、変圧器は、少なくとも２つの制御可能電力スイッチを介して入力電圧源に接続された少なくとも１つの一次巻線と、第１二次巻線および第２二次巻線とを備え、第１二次巻線および第２二次巻線は、固有抵抗を有し、第１二次巻線および第２二次巻線は、第１ノードにおいて共に直列に接続され、第１整流器スイッチおよび第２整流器スイッチは、第２ノードにおいて直列に接続され、第１二次巻線は、第３ノードにおいて第１整流器スイッチに接続され、第２二次巻線は、第４ノードにおいて第２整流器スイッチに接続され、出力段階は、出力段階入力および出力段階出力を有し、出力段階入力は、第１ノードおよび第２ノードに接続され、出力段階出力は、負荷回路に接続され、出力段階入力および出力段階出力は、共通ノードを有し、出力段階は、出力電流を負荷回路に提供するためのインダクタを供え、インダクタは、出力段階入力に結合するための第１端子と出力段階出力に結合するための第２端子とを有し、インダクタは、固有抵抗を有し、出力電流は、それにより、第１二次巻線および第２二次巻線ならびにインダクタの固有抵抗の和と出力電流とに比例するＤＣ電圧成分を含めて、第３ノードとインダクタの第２端子との間の電圧と、第４ノードとインダクタの第２端子との間の電圧を提供する。切替え調整器は、さらに、電流センサ入力および電流センサ出力を有する電流センサを提供する工程を含む。電流センサ入力は、第３ノードおよび第４ノードとインダクタの第２端子とに接続され、電流センサは、電流センサ出力においてＤＣ電圧成分を提供し、電流センサ出力は、制御回路に接続され、制御回路は、切替え回路の動作パラメータを調節する電流センサとを備える。電流センサは、第１抵抗および第２抵抗ならびにキャパシタを備えることが好ましく、第１抵抗は、第１端子および第２端子を有し、第２抵抗は、第１端子および第２端子を有し、キャパシタは、第１端子および第２端子を有し、第１抵抗の第１端子は、第３ノードに結合され、第２抵抗の第１端子は、第４ノードに結合され、第１抵抗の第２端子は、第２抵抗の第１端子および第５ノードにあるキャパシタの第１端子に結合され、キャパシタの第２端子は、インダクタの第２端子に結合される。
【手続補正２】
【補正対象書類名】明細書
【補正対象項目名】００３４
【補正方法】変更
【補正の内容】
【００３４】
図５Ａは、図１の切替え調整器において実施される本発明の１つの可能な応用例を示す。図１の回路のインダクタ電流信号処理回路３０および過電流保護回路２１の機能は、コンパレータ６０と、抵抗Ｒ１０、Ｒ１１、Ｒ１２、およびＲ１３と、基準電圧ＶＲＥＦ５０とで実現される。抵抗Ｒ１０は、コンパレータ６０の反転入力とキャパシタＣＦの第１端子との間に結合され、一方、抵抗Ｒ１１は、キャパシタＣＦの第２端子とコンパレータ６０の非反転入力との間に結合される。オフセット抵抗Ｒ１３は、コンパレータ６０の非反転入力と基準電圧ＶＲＥＦ５０との間に結合され、第２オフセット抵抗Ｒ１３は、コンパレータ６０の反転入力と出力接地との間に結合される。それにより、オフセット抵抗Ｒ１２およびＲ１３は、当初のオフセット電圧を確立し、このオフセット電圧により、コンパレータ６０は、強制的にオフ状態になり（論理ハイ信号であるように選択される）、通常の電流がインダクタＬ０を流れる、すなわち、キャパシタＣＦの両端のＤＣ電圧は、所定のレベル（ＤＣオフセットに対応する）より低い。インダクタＬ０を流れる電流が増大する際に、キャパシタＣＦの両端のＤＣ電圧は増大し、ならびにコンパレータ６０の反転入力における電圧も増大する。コンパレータの出力は、コンパレータ６０の反転入力における電圧が非反転入力における電圧より大きくなるとき、ゼロ論理レベルに変化し、したがって、ＰＷＭ制御は、出力電流を制限する。
【誤訳訂正書】
【提出日】平成17年9月27日(2005.9.27)
【誤訳訂正１】
【訂正対象書類名】明細書
【訂正対象項目名】００２０
【訂正方法】変更
【訂正の内容】
【００２０】
また、ステレオ幅の利得値の更新率が低い場合、補間をそれに適用することができる。簡単な方法は、時間的に連続する２つのステレオ幅値の間で線形的に補間するものである。幾つかのステレオ幅パラメータを含むより長い時間セグメントに亘ってステレオ幅の利得値を平滑化することによって、ステレオ幅のより安定な挙動を達成することができる。様々なアタック時定数及びリリース時定数による平滑化を利用することによって、混合又は差し挟まれた会話及び音楽を含むプログラム素材によく適したシステムが達成される。そのような平滑化フィルタの適切な設計は、短いアタック時定数を使用して短い立上り時間、及びしたがってステレオでの音楽開始への即時対応が得られ、かつ長いリリース時間を使用して長い立下り時間が得られるように行なわれる。突然に会話に入るのに望ましい場合があるワイドステレオモードからモノラルへの高速切換えができるようにするために、この事象を送信することによって、平滑化フィルタを迂回又はリセットすることができる。さらに、アタック時定数、リリース時定数、及び他の平滑化フィルタ特性をも符号器によって信号として送ることができる。
【手続補正書】
【提出日】平成17年11月17日(2005.11.17)
【手続補正１】
【補正対象書類名】特許請求の範囲
【補正対象項目名】全文
【補正方法】変更
【補正の内容】
【特許請求の範囲】
【請求項１】
第１の無線ネットワークコントローラ内における過負荷状態の存在を判断する工程と、
第２の無線ネットワークコントローラに対して、前記過負荷状態の存在と前記過負荷状態を緩和するための動作案とをシグナリングする工程とを含む方法。
【請求項２】
前記動作案はデータの流れの制限である請求項１記載の方法。
【請求項３】
前記動作案は周波数間ハンドオーバの実行である請求項１記載の方法
【請求項４】
前記動作案はシステム間ハンドオーバの実行である請求項１記載の方法。
【請求項５】
前記動作案は無線ベアラの解放である請求項１記載の方法。
【請求項６】
前記第２のコントローラにおいて、前記第１のコントローラからの前記シグナリングを受信し、前記過負荷状態を緩和するために前記動作案を実行する工程をさらに含む請求項１記載の方法。
【請求項７】
前記動作案はデータの流れの制限である請求項６記載の方法。
【請求項８】
前記動作案は周波数間ハンドオーバの実行である請求項６記載の方法。
【請求項９】
前記動作案はシステム間ハンドオーバの実行である請求項６記載の方法。
【請求項１０】
前記動作案は無線ベアラの解放である請求項６記載の方法。
【請求項１１】
第１の無線ネットワークコントローラ内における過負荷状態の存在を判断する手段と、
第２の無線ネットワークコントローラに対して、前記過負荷状態の存在と前記過負荷状態を緩和するための動作案とをシグナリングする手段とを備えた装置。
【請求項１２】
前記動作案はデータの流れの制限である請求項１１記載の装置。
【請求項１３】
前記動作案は周波数間ハンドオーバの実行である請求項１１記載の装置。
【請求項１４】
前記動作案はシステム間ハンドオーバの実行である請求項１１記載の装置。
【請求項１５】
前記動作案は無線ベアラの解放である請求項１１記載の装置。
【請求項１６】
前記第２のコントローラにおいて前記第１のコントローラからの前記シグナリングを受信する手段と、
前記第２のコントローラにおいて前記過負荷状態を緩和するために前記動作案を実行する手段とをさらに備えてなる請求項１１記載の装置。
【請求項１７】
前記動作案はデータの流れの制限である請求項１６記載の装置。
【請求項１８】
前記動作案は周波数間ハンドオーバの実行である請求項１６記載の装置。
【請求項１９】
前記動作案はシステム間ハンドオーバの実行である請求項１６記載の装置。
【請求項２０】
前記動作案は無線ベアラの解放である請求項１６記載の装置。
【請求項２１】
過負荷状態の存在を判断し、前記過負荷状態の存在と前記過負荷状態を緩和するための動作案とをシグナリングする第１の無線ネットワークコントローラ（２２ａ）と、
前記過負荷状態を緩和する前記動作案を実行するための前記シグナリングに応答する第２の無線ネットワークコントローラ（２４ａ）とを備えてなるシステム。
【請求項２２】
前記過負荷状態を緩和するための動作案がデータの流れを制限することである請求項２１記載のシステム。
【請求項２３】
無線アクセスネットワークの第１の無線ネットワークコントローラからの要求に応答して負荷測定報告を提供するために無線インタフェース（Ｕｕ）を介して無線アクセスネットワークを接続するためのユーザ装置（１６）であって、前記第１の無線ネットワークコントローラが過負荷状態の存在を判断し、前記過負荷状態の存在と前記過負荷状態を緩和するための動作案とを前記無線アクセスネットワークの第２の無線ネットワークコントローラにシグナリングし、前記第２の無線ネットワークコントローラが前記過負荷状態を緩和するための前記動作案を実行するユーザ装置（１６）。
【請求項２４】
過負荷状態の存在と前記過負荷状態を緩和するための動作案とのシグナリングを第１の無線ネットワークコントローラから第２の無線ネットワークコントローラにおいて受信する工程と、
前記シグナリングに応答して前記過負荷状態を緩和するために前記動作案を前記第２の無線ネットワークコントローラにおいて実行する工程をさらに含む方法。
【請求項２５】
過負荷状態の存在と前記過負荷状態を緩和するための動作案とのシグナリングを受信する手段（９４）と、
前記シグナリングに応答して前記過負荷状態を緩和するための前記動作案を実行する手段（９８）とを備えた装置（２４ａ）。
【手続補正書】
【提出日】平成17年11月11日(2005.11.11)
【手続補正１】
【補正対象書類名】明細書
【補正対象項目名】請求項１３
【補正方法】変更
【補正の内容】
【請求項１３】  セメント材料の固形分の０．３〜５％の増粘剤、および、セメント材料の固形分の０．０５〜０．５％の分散剤からなる請求項１２記載のセメント組成物。
【手続補正２】
【補正対象書類名】明細書
【補正対象項目名】請求項３８
【補正方法】変更
【補正の内容】
【請求項３８】  セメント材料の固形分の０．３〜５％の増粘剤、および、セメント材料の固形分の０．０５〜０．５％の分散剤からなる請求項３７記載の方法。
【手続補正書】
【提出日】平成18年11月13日(2006.11.13)
【手続補正１】
【補正対象書類名】明細書
【補正対象項目名】０００７
【補正方法】変更
【補正の内容】
【０００７】
浮遊モードでは、イオン収集プレートは最初ゼロ電圧レベルに予め設定され、その後イオンフィールドから入射したイオンの衝突により決まる電圧レベルに“浮遊”させられる。浮遊測定は、半導体装置上の正味電荷を低い値に減少させるフィールドの効果を示し、そのイオンフィールドによって駆動される装置の電圧レベルを、最初チャージされなかったものでも全て示す。
【特許文献１】米国特許第４３７０６１６Ａ号明細書
【特許文献２】欧州特許第０２２２９５０Ａ号公報
【特許文献３】日本特許出願平成９年２８０８０６号公報
【特許文献４】米国特許第５８８６５２８Ａ号明細書
【手続補正書】
【提出日】平成17年9月27日(2005.9.27)
【手続補正１】
【補正対象書類名】明細書
【補正対象項目名】請求項８
【補正方法】変更
【補正の内容】
【請求項８】  推定車速がエンジントルク、ブレーキトルクおよび走行抵抗に応じて決定されることを特徴とする請求項２〜７のいずれか一つに記載の方法。
【手続補正書】
【提出日】平成18年8月29日(2006.8.29)
【手続補正１】
【補正対象書類名】明細書
【補正対象項目名】特許請求の範囲
【補正方法】変更
【補正の内容】
【特許請求の範囲】
【請求項１】  腫瘍細胞を、
（ａ）アスコルビン酸の血漿溶解性金属塩；及び
（ｂ）(i)アルドン酸、及びアルドノ−ラクトン、アルドノ−ラクチド及びこれらの非毒性金属塩、並びに
（ｉｉ）デヒドロアスコルビン酸、トレオース、エリトレオース、４−ヒドロキシ−５−メチル−３（２Ｈ）−フラノン、３−ヒドロキシコウジ酸及び５−ヒドロキシマルトール、
からなる群から選択される１つ又はそれより多くのビタミンＣ代謝物、
を含んでいる組成物と接触させる工程を含む選択的化学療法。
【請求項２】  薬理学的に許容可能な静脈内担体中に請求項１に記載の化学療法組成物を含んでいる組成物。
【請求項３】  前記ビタミンＣ代謝物がアルドン酸である請求項１に記載の選択的化学療法。
【請求項４】  前記ビタミンＣ代謝物がアルドン酸の非毒性金属塩である請求項１に記載の選択的化学療法。
【請求項５】  前記ビタミンＣ代謝物がアルドノ−ラクトンである請求項１に記載の選択的化学療法。
【請求項６】  前記ビタミンＣ代謝物がアルドノ−ラクトンの非毒性金属塩である請求項１に記載の選択的化学療法。
【請求項７】  前記ビタミンＣ代謝物がアルドノ−ラクチドである請求項１に記載の選択的化学療法。
【請求項８】  前記ビタミンＣ代謝物がアルドノ−ラクチドの非毒性金属塩である請求項１に記載の選択的化学療法。
【請求項９】  前記ビタミンＣ代謝物がデヒドロアスコルビン酸である請求項１に記載の選択的化学療法。
【請求項１０】  前記ビタミンＣ代謝物がトレオースである請求項１に記載の選択的化学療法。
【請求項１１】  前記ビタミンＣ代謝物がエリトレオースである請求項１に記載の選択的化学療法。
【請求項１２】  前記ビタミンＣ代謝物が４−ヒドロキシ−５−メチル−３（２Ｈ）−フラノンである請求項１に記載の選択的化学療法。